Podtech/llm-jp-corpus-v4-ja_patent huggingface dataset:
(57)【要約】【課題】ＬＥＤチップから照射される光を無駄なく集光することで、効率よく光を集約させることを課題とする。【解決手段】ＬＥＤチップとレンズとレンズホルダーからなる光源において、拡大倍率１．２５〜１．３８倍の３または４枚のレンズとＬＥＤチップを組合せて、ＬＥＤチップに包接する第一レンズの大きさをＬＥＤチップの２．２５〜２．５倍とすることで、集光効率がよりよくなり、ＬＥＤチップから照射される光を無駄なく集光することが可能となり、より効率よく光を集約させることが可能となる。【選択図】図２
2011071453.tif 000002
【特許請求の範囲】
【請求項１】
ＬＥＤチップとレンズとレンズホルダーからなる光源
【請求項２】
レンズが、３または４枚の組合せからなる組レンズであることを特徴とする請求項１記載の光源
【請求項３】
レンズの倍率がいずれも１．２５〜１．３８倍であることを特徴とする請求項１又は請求項２記載の光源
【請求項４】
ＬＥＤチップに包接する第一レンズの径がＬＥＤチップの２．２５〜２．５倍であることを特徴とする請求項１〜請求項３のいずれか一項に記載の光源
【発明の詳細な説明】
【技術分野】
【０００１】ＬＥＤを利用した光源に関する技術に属する。
【背景技術】
【０００２】  従来のＬＥＤ光源では図１で示されているように二つの異なるレンズの屈折率を持つ曲面で反射させることでＰＭＭＡレンズ１の中の光を中央の穴に集約している。
【先行技術文献】
【特許文献】
【０００３】
【特許文献１】  特許公開２００６−１５５９５６
【特許文献２】  特許公開２００９−２１２０８７
【特許文献３】  特許公開２００７−２６６１８０
【発明の概要】
【発明が解決しようとする課題】
【０００４】  図１に示す従来の設計では、いくつかの光はＰＭＭＡレンズ１や反射板２を経由しても外部に照射されることがないので、ＰＭＭＡレンズ１から上手く光を屈折させることが出来ず、反射を繰り返すことにより光力が落ちてしまう問題点がある。
ＬＥＤチップから照射される光を無駄なく集光することで、効率よく光を集約させることを本発明の課題とする。
【課題を解決するための手段】
【０００５】  上記課題を解決するために、本発明はＬＥＤチップとレンズとレンズホルダーからなる光源である。
また、レンズが３または４枚の組合せからなる組レンズであることを特徴とする光源である。
また、レンズの倍率がいずれも１．２５〜１．３８倍であることを特徴とする光源である。
さらに、ＬＥＤチップに包接する第一レンズの径がＬＥＤチップの２．２５〜２．５倍である光源である。
【発明の効果】
【０００６】  本発明のＬＥＤチップとレンズとレンズホルダーからなる光源において、レンズとしてメニスカスレンズを用いることで、球面収差とコマ収差を減少させることが可能となる。【０００７】  そして、全てのレンズに拡大倍率１．２５〜１．３８倍のものを使用することで、集光効率をよりよくすることが可能となる。
さらに、ＬＥＤチップに包接する第一レンズの径をＬＥＤチップの２．２５〜２．５倍のサイズとすることでＬＥＤから照射される光を無駄なく集光することができ、より効率よく光を集約させることが可能となる。【０００８】  本発明のレンズとして球面レンズを用いると生産時の組み立てが簡単である。本発明では非球面レンズと円柱レンズを利用することも可能であり、各レンズを最小の距離で並べることでより一層の小型化ができる。【０００９】  メニスカスレンズを利用することで球面収差とコマ収差を減少させることが可能となり、レンズシステムの中で光の減衰を減らして、光の集光効率を上げることで無駄な光を発生させず効率よくなり、長くＬＥＤを光源として使用できる。
【図面の簡単な説明】
【００１０】
【図１】  従来のＬＥＤ光源
【図２】  本発明におけるＬＥＤ光源
【発明を実施するための形態】
【００１１】  以下、図２を参照して本発明の実施形態を説明する。図２に示すＬＥＤ光源はＬＥＤチップ及び４枚のレンズで構成されており、第一レンズ１０以外の３枚のレンズ５，６，９は全て拡大倍率１．２５〜１．３８倍のメニスカスレンズを使用しており、所定の間隔でレンズホルダー８に組み込んである。
ＬＥＤチップに包接する第一レンズはＬＥＤチップのサイズの２．５倍の径を有する。これで、ＬＥＤチップから発生する光が効率よく照射される。
【符号の説明】
【００１２】１  ＰＭＭＡレンズ
２  リフレクター（反射板）
３  レンズ
４  ＬＥＤ基盤
５  メニスカスレンズ
６  メニスカスレンズ
７  レンズ固定キャップ
８  レンズホルダー
９  メニスカスレンズ
１０  第一レンズ
１１  光源のベース
【図１】
2011071453.tif 000003
【図２】
2011071453.tif 000004
(57)【要約】【課題】電話番号に続く、内線番号を用いて、電子データを一意に指定、その電子データの加工を指示、実行する。【解決手段】内線番号に、「電子データの一意指示」、「電子データの加工指示」、「確認番号」を内包する「電子データ加工指示番号」を用いて、電話回線に接続された専用装置へ電話接続し、電子データを一意に指定して、加工、処理実行を行う。【選択図】図１
2011071950.tif 000002
【特許請求の範囲】
【請求項１】
電話回線に接続された、専用装置に対して、電話接続後にやり取りされる内線番号にあたる数字列を利用し、電子データを電話にて制御する方式および、装置、ソフトウェア、電子データの加工を指示する数字列「電子データ加工指示番号」には、電子データを一意に示す数字列情報、電子データをどのように加工するかを示す数字列情報、送られてくる「電子データ加工指示番号」が正規のものかを示す数字情報を含み、全体の数字列自身も一定のルール順序も入れ替えたものから構成される。
【発明の詳細な説明】
【技術分野】
【０００１】本発明は、内線電話番号を用いた、電子データの加工指示、処理実行に関するものである。
【背景技術】
【０００２】旧来より、電話接続の後に発信される内線番号を利用して、内線の電話機に通話を割り振る技術が存在する。
【発明の概要】
【発明が解決しようとする課題】
【０００３】電話による内線番号は通話の転送など、通話情報の交換を行うことを目的に利用されている。
このため、旧来、内線番号によって、電子データ指定し、その電子データの加工を指示し、処理実行するようなことは困難であった。【０００４】本発明は、電話の内線番号の利用を利用して送受信される電子データに対し、電子データを一意に指定し、その電子データをどのように加工し、処理を実行するかを指示することで、電話機を用いての遠隔地からの電子データの加工処理の実行を行うことを課題とする。
【課題を解決するための手段】
【０００５】請求項１の記載の発明は、電話を電子データの送受信端末として捕らえ、電子データを送受信するとともに、受信側の専用装置を用いて、一意の電子データの加工、処理実行を行えるようにする。
一般に内線番号と呼ばれる、数字列を流用して行い、これを実行する。
この番号を「電子データ加工指示番号」と称す。
「電子データ加工指示番号」は以下の要素や並び順をもつ、
▲１▼  電子データをどのように加工するかを示す数字列
▲２▼  電子データを一意に指示するための数字列
▲３▼  正規の指示番号を知るための確認用数字
▲４▼  ▲１▼から▲３▼を意味とは関係なくブロック分解して並び替える
「電子データ加工指示番号」中、電子データをどのように加工するかを示す数字列を利用すると、下記のような加工を行う指示が出せる。
▲１▼  電子データの受信
▲２▼  電子データの送信
▲３▼  電子データの保存
▲４▼  電子データの複写
▲５▼  電子データの消去
▲６▼  電子データの圧縮
▲７▼  電子データの伸張
▲８▼  そのほかの電子データの加工指示
電子データの加工を行う専用装置は、電話機から送られる「電子データ加工指示番号」に基づき随時、一意の電子データを加工処理実行する。
【発明の効果】
【０００６】電子データの中には、当然音声データも含まれるが、「電子データ加工指示番号」で、音声データの送信を指示することで、一意の音声データを加工したのちに電話回線を経由して聞くといった効果が期待できる。
電話番号、「電子データ加工指示番号」を電話機外部から読み込む手段と連動することで、電話機に直接の番号入力を行う必要なく、電子データの取得なども可能である。
移動体電話を利用することで、現地にて、必要となる電子情報を、電話にて自動発信することで収集することが可能になる。
【図面の簡単な説明】
【０００７】
【図１】本発明の図
【発明を実施するための形態】
【実施例】
【０００８】本発明の図を用いて発明を実施するための形態を説明する。
本発明の図のとおり、通信する端末側としては、一般電話を用いる、受信および、電子データの加工、処理の実行は、電話回線と接続された専用装置の上で動作する。
専用装置は、電話回線に接続されたコンピュータとソフトウェアなどで構成される。
一般電話から、「電子データの一意指示」、「電子データの加工指示」、「確認番号」からなる番号列をブロック単位で入れかえて番号の列を作成する。
これを「電子データ指示番号」とする。
専用装置に電話で接続し、その後「電子データ指示番号」を送ることで、電子データを一意に定めるとともに、電子データの加工を指示し、処理実行する。
「電子データ指示番号」の解析の後、電話側から、電子データを受信する、あるいは専用装置側から電子データを送信する、あるいは、専用装置内において電子データの加工を行うなどの動作を行う。
【符号の説明】
【０００９】▲１▼  指示番号の組み立て構成
▲２▼  一般電話
▲３▼  専用装置（電話回線に接続された、コンピュータとソフトウェアで構成）
【図１】
2011071950.tif 000003
(57)【要約】      （修正有）【課題】デジタルカメラの背面部のディスプレイを用いた低位置のローアングル構図および頭上位置によるハイアングル構図でのカメラ撮影を容易にする。【解決手段】イ）デジタルカメラ背面ディスプレイに対面するカメラケース面の一部分に画像確認のためのミラー（鏡）を取り付ける。ロ）ディスプレイ面の下部を支点にしてミラー面の角度を操作できるようにカメラケースを固定する。【選択図】図１
2011071948.tif 000002
【特許請求の範囲】
【請求項１】
背面ディスプレイ付きデジタルカメラケースのケース面の一部分に、「ローアングル構図およびハイアングル構図の撮影用補助ミラー（鏡）」を取り付け、カメラケースと撮影用補助ミラー（鏡）を一体化したこと。よって作製コストの経済性とアナログ的発想による簡易操作性およびカメラのコンパクト性を追求維持したこと。
【発明の詳細な説明】
【技術分野】
【０００１】  本発明は、デジタルカメラのディスプレイ面に対面するケース面の一部分に画像確認のためのミラー（鏡）を取り付け、ケース面の開閉操作によりミラー面に角度を持たせることにより背面ディスプレイの画像をカメラ上部位置方向ローアングルまたはカメラ下部位置方向ハイアングルでアナログ的に安易に画像確認ができるようにした画像確認ミラー一体型カメラケースである。
カメラケースと一体にしたことによりカメラと共に常時携帯することになり、昨今のデジタルコンパクトカメラのファッション性からしてケースのミラーが女性の身繕いのための手鏡代用または非常時に緊急連絡用の反射境としても活用できる多目的に活用可能のデジタルカメラ用ローアングル及びハイアングル撮影用ミラー（鏡）付き多目的ケースにもなる。
【背景技術】
【０００２】イ）コンパクトデジタルカメラのディスプレイはカメラ背面に取り付けられているため、画像確認はカメラ後方部横位置方向のみで可能であるため、カメラ背面部ディスプレイ付デジタルカメラによる低位置（ローアングル）または頭上など高い位置（ハイアングル）でのカメラ撮影が至極困難である。
ロ）コンパクト型デジタルカメラのそのほとんどのディスプレイの画像はカメラ後方水平方向のみで確認可能であり、地上に咲く小さな花などをローアングルで撮影する場合などでは、地面に這い蹲りするなど至極困難な姿勢を強いられる。
ハ）頭上位置など高い位置よりの撮影では脚立や足台が必要であり通常のコンパクト型デジタルカメラでの挙上姿勢での撮影は困難である。
【発明の概要】
【発明が解決しようとする課題】
【０００３】  デジタルカメラのディスプレイはカメラ背面に取り付けられているため、画像確認はカメラ後方部横方向のみで可能であるため、カメラ背面部ディスプレイ付デジタルカメラによる低位置のローアングル構図または頭上位置でのハイアングル構図のカメラ撮影が至極困難である。本発明は、この課題を解消するためになされたものである。
【課題を解決するための手段】
【０００４】イ）デジタルカメラの背面のディスプレイ面に対面するケース面の一部分にミラー（鏡）を取り付け、ディスプレイ面の下部を支点にしてミラー面に角度を持たせることのできるようにカメラケース面を固定して取り付ける。
ロ）カメラ背面ディスプレーの画像をカメラ上部位置方向より、またはカメラ下部位置方向より確認できるように、デジタルカメラ背面のディスプレイ面に対面する位置のミラー（鏡）を自在に開閉操作調整することができるように、かつディスプレイの画像を自在にミラーに写しだせる様にカメラケース面にミラー（鏡）を一体にして取り付けたものである。
ハ）頭上位置、挙上姿勢でハイアングル構図の撮影をする場合は、デジタルカメラを逆さにして、ミラー面を下から見上げる姿勢でディスプレイの画像をミラーに写しだしてハイアングルの構図を確認して撮影を行う。
【発明の効果】
【０００５】イ）背面ディスプレイ付きデジタルカメラ用・ローアングル及びハイアングル撮影用ミラー（鏡）付多目的ケースによって、背面ディスプレイ付きデジタルカメラによるローアングルおよびハイアングルの撮影が楽な姿勢で安易に撮影できるようになる。
ロ）本発明のカメラケース面の一部分を活用したカメラケースと画像確認ミラーを一体型にしたアイデアにより、特別なローアングルまたはハイアングルの撮影装置器材等を準備することなく、手軽にローアングル及びハイアングルの撮影が楽しめるようになる。
ハ）本発明は、特別な専門知識、技能等必要としないアナログ的発想で気軽に使いこなすことができる。
ニ）カメラケースを活用し、一体型を重要視し画像確認ミラー（鏡）を取り付けたことにより、カメラのコンパクト性を維持できる。
ホ）昨今のデジタルコンパクトカメラのファッション性からしてケースのミラー（鏡）が女性の身繕いのための手鏡代用または野外活動での非常時に緊急連絡用の反射境としても活用できるなど多目的に活用可能である。
【図面の簡単な説明】
【０００６】
【図１】      本発明の平面図と側面図である。
【図２】      本発明の使用時と収納時の側面方向からの断面図である。
【発明を実施するための形態】
【０００７】イ）カメラ背面ディスプレイに対面する位置のカメラケース面の一部分に画像を確認するための金属性ミラーまたは衝撃に強い強化ガラスミラー（鏡）をカメラケース面に接着剤で固定する。
ロ）ディスプレイ面の下部が支点になるようにして、カメラケース面の上部が開閉操作できるように、かつ画像確認できるようにミラー面の角度を調整できるように、カメラ本体の三脚固定用ネジ穴を活用してネジでカメラケースを固定する。
ハ）画像確認（撮影補助）ミラーをカメラケース面に取り付けケース一体型にし、ローアングル構図およびハイアングル構図の撮影をアナログ的に容易に撮影できるようにした。
【産業上の利用可能性】
【０００８】イ）デジタルカメラの普及は目覚ましいものがあり、入門機としてコンパクト型デジタルカメラが愛用され、そのほとんどが背面ディスプレイ型のものであり、低位置からのローアングル構図の撮影では地面にはいつくばるなどして困難な姿勢を強いられ、また撮影者の頭上位置からのハイアングル撮影では脚立などが必要であるが、本発明によりこれらの課題が解決され、コンパクトデジタルカメラ愛用者から支持されよう。
ロ）本発明は、カメラケースを活用して、背面ディスプレイ付デジタルカメラ用ロ−アングル及びハイアングル撮影用ミラー（鏡）をケースと一体化したことにより、コンパクトカメラのコンパクト性を失わず、アナログ的操作により容易に扱うことが可能であり、デジタル操作を苦手とする熟年者に喜ばれ支持されよう。
ハ）本発明により背面ディスプレイ付きカメラを携帯することにより、カメラケースのミラーを身繕いのための手鏡代用に、また緊急時の光による緊急信号のための反射境等々と多目的に活用できることから、デジタルカメラ愛用者の多面的支持を広げよう。
【符号の説明】
【０００９】▲１▼．ミラー（鏡）金属製鏡または強化ガラス性鏡
▲２▼．衝撃吸収材（アクリル＋ウレタン＋ゴム）
▲３▼．ケース外材（皮材またはアクリル材または布材）
▲４▼．マジックテープ
▲５▼．内張材（皮材またはビニール材または布材）
【図１】
2011071948.tif 000003
【図２】
2011071948.tif 000004
(57)【要約】【課題】照明器具の電力消費を著しく減らす。【解決手段】照明器具には太陽電池パネル付きが少ないので電力の消費を著しく減らす。【選択図】図１
2011071079.tif 000002
【特許請求の範囲】
【請求項１】
照明器具に太陽電池パネルと単３蓄電池２本を取り付けたことを特徴とする照明器具。
【発明の詳細な説明】
【技術分野】
【０００１】化粧台・勉強机・ダイニングテーブルなどにも利用。
【背景技術】
【０００２】従来の照明器具にはなかった。
【発明の概要】
【発明が解決しようとする課題】
【０００３】３２型サークラインの内周にサークラインの器具が内蔵されていてその３２型サークラインの内側に鏡を取り付け、鏡とサークラインの裏側にはコネクターと太陽電池パネル回転軸が通電金属のホックになっていて回転する。
鏡が固定されている軸棒のすぐ内側が通電金属のフック。そのフックには３２型サークラインの電気が付くためのコネクター差込口。コネクター差込口にかからない所に、太陽電池パネルを固定する。太陽電池パネルは台の上面に２枚ある。台の鏡側の側面にはＯＦＦ−ＯＮ−調光スイッチ。台の側面に単３蓄電池２本入る。
【発明の効果】
【０００４】照明器具には太陽電池パネル付きが少ないので電力の消費を著しく減らす。
【図面の簡単な説明】
【０００５】
【図１】この特許発明の左側面図
【発明を実施するための形態】
【０００６】照明器具に太陽電池パネルをサークライン後面に２枚、台に２枚取り付けることによる。
【実施例】
【０００７】照明器具に合計４枚の太陽電池パネルを取り付けることによって電力の消費を著しく減らす。
【産業上の利用の可能性】
【０００８】照明器具のある電気製品業界における産業に利用される。
【符号の説明】
【０００９】１  ３２型サークライン
２．ミラー
３．コネクター差込口連結フック
４．太陽電池パネル
５．調光スイッチ
６．単３蓄電池差し込み口
【図１】
2011071079.tif 000003
(57)【要約】      （修正有）【課題】軽量で細径化でき、かつフレキシブル性が向上し、伝導体の長さを短縮でき、安価な繊維被膜細径電線コードを提供する。【解決手段】一本から複数本の細径の伝導体１と、この伝導体１を被覆する沿え線２と、この沿え線２を被覆する内層繊維被膜３と、この内層繊維被膜３を被覆する外装繊維被膜４とを備え、伝導体１は、直線的に配置し、内層繊維被膜３および外装繊維被膜４は、撚糸カバーリング技術により左右から螺旋状に巻き付けるのが好ましい。【選択図】図１
2011071075.tif 000002
【特許請求の範囲】
【請求項１】
一本から複数本の細径の伝導体と、この伝導体を被覆する沿え線と、この沿え線を被覆する内層繊維被膜と、この内層繊維被膜を被覆する外装繊維被膜とを備えたことを特徴とする繊維被膜細径電線コード。
【請求項２】
上記伝導体は、直線的に配置したことを特徴とする請求項１記載の繊維被膜細径電線コード。
【請求項３】
上記内層繊維被膜および外装繊維被膜は、撚糸カバーリング技術により左右から螺旋状に巻き付けたことを特徴とする請求項１または２記載の繊維被膜細径電線コード。
【請求項４】
上記沿え線は、使用用途に応じて任意の繊維を任意の本数使用したことを特徴とする請求項１〜３のいずれか１項記載の繊維被膜細径電線コード。
【発明の詳細な説明】
【技術分野】
【０００１】  この発明は、発光ダイオード等の低電圧機器に接続するための、細径の繊維被膜電線コードに関するものである。
【背景技術】
【０００２】  従来の細径電線コードは、一般的に芯部となる素材に銅線等の伝導体を巻きつける構成のものや、銅線等の伝導体をビニール又はポリウレタン樹脂にて被覆されているものがある。また、撚り構造ロープのストランドの中心に電線を入れたものや、編組構造の中心の空洞部分に伝導体を通したものがある。
また、別途の細径電線コードとして、カーボンを伝導体とし、細径・軽量化したものがある。（例えば、特許文献１参照。）。
【先行技術文献】
【特許文献】
【０００３】
【特許文献１】  特開２００３−３０３５１６号公報
【発明の概要】
【発明が解決しようとする課題】
【０００４】  上記のような従来の細径電線コードは、製造方法としてビニール又はポリウレタン樹脂等により被覆されているので、重量が重くなると言う問題点があった。
また、細径電線コードのフレキシブル性を向上させる必要があり、被覆樹脂を柔軟性のある材料を選択しなければならないと言う問題点があった。
また、伝導体の構造が巻きつけ構造や撚り線構造のため、伝導体の長さが電線コードの単位長より長くなると言う問題点があった。
さらに、カーボンを伝導体とした細径電線コードの場合、素材がとても高価になり、経済的負担が大きいと言う問題点もあった。【０００５】  この発明は、上述のような問題点を解決するためになされたもので、軽量で細径化でき、かつフレキシブル性が向上し、伝導体の長さを短縮でき、安価な繊維被膜細径電線コードを得ることを目的とする。
【課題を解決する為の手段】
【０００６】  この発明の繊維被膜細径電線コードは、一本から複数本の細径の伝導体と、この伝導体を被覆する沿え線と、この沿え線を被覆する内層繊維被模と、この内層繊維被膜を被覆する外装繊維被膜とを備えたものである。
【０００７】  また、上記伝導体は、直線的に配置したものである。
【０００８】  また、上記内層繊維被膜および外装繊維被膜は、撚糸カバーリング技術により左右から螺旋状に巻き付けたものである。
【０００９】  さらに、上記沿え線は、使用用途に応じて任意の繊維を任意の本数使用したものである
【発明の効果】
【００１０】    この発明の繊維被膜細径電線コードは、内層繊維被膜および外層繊維被謨の被膜を用いて撚糸カバーリングすることにより、糸の様な風合いやフレキシブル性を持たせることができるとともに、軽量で細径の電線コードが得られる。
【００１１】  また、芯部の伝導体を直線的に並走さすことによって伝導体を短縮でき、それに伴い伝導率の向上が図れる。
【図面の簡単な説明】
【００１２】
【図１】  この発明の一実施の形態を示す繊維被膜細径電線コードの側面図である。
【図２】  図１の線Ｘ−Ｘに沿う断面図である。
【発明を実施するための形態】
【実施例１】
【００１３】    図１は、この発明の実施の形態１を示す繊維被膜細径電線コードの側面図である。図２は、図１の線Ｘ−Ｘに沿う断面図である。
図において、１は伝導体であり、ポリウレタン被覆銅線等任意の伝導体を使用し、任意の本数を直線的に並走させたものである。２は伝導体１を被覆する沿え線であり、この沿え線２は、高強度アラミド繊維を複数本使用している。なお、沿え線２は使用用途に応じ、任意の機能繊維を任意の本数で使用しても良い。３は沿え線２を被覆する内層繊維被膜であり、例えばフレキシブル性の大きなナイロン繊維を使用している。４は内層繊維被膜３を被覆する外層繊維被膜であり、例えばフレキシブル性の大きなナイロン繊維を使用している。また、内層繊維被膜３および外層繊維被膜４はカバーリング撚糸機を用いて撚糸カバーリング技術により左右から螺旋状に巻き付けたものである。なお、内層繊維被膜３および外層繊維被膜４は、例えばポリエステル繊維、綿糸等の任意の繊維を使用しても良い。【００１４】  このように構成された繊維被膜細径電線コードにおいては、内層繊維被膜３および外層繊維被膜４の被膜を用いて撚糸カバーリングすることにより、糸の様な風合いやフレキシブル性を持たせることができるとともに、軽量で細径の電線コードが得られる。
また、芯部の伝導体１を直線的に並走さすことによって伝導体１を短縮でき、それに伴い伝導率の向上が図れる。また、沿え線２は繊維被膜細径電線コードの強度を出す為のもので、必要強度に応じて繊維を任意に変更できる。
【符号の説明】
【００１５】    １  伝導体、２  沿え線、３  内層繊維被膜、４  外層繊維被膜
【図１】
2011071075.tif 000003
【図２】
2011071075.tif 000004
(57)【要約】      （修正有）【課題】昼の時間帯以外でも多く発電するような発電パネルの提供。【解決手段】１，発電パネルを固定しないで、朝日も夕日も受けて、常に効率のよい発電ができるように、太陽に向けて傾斜の操作する。２，朝の７時から夕方の７時の間、２時間毎に（１１時から午後２時までの間は固定する。）発電パネルを傾斜操作する。３，発電パネルは、太陽の光の照射角度に応じた向きに合うように、毎日朝の操作時にパネルの傾斜角度を上げ下げ調整する。４，毎日の天候次第で効率のよい発電パネルの手作業をする。【選択図】図１
2011129849.tif 000002
【特許請求の範囲】
【請求項１】
太陽光採光管理発電装置は、夏季の好天の日は、朝・昼・夕と太陽の光にパネルを傾けて、効率よく発電するように、管理人が朝日の出る時間から昼過ぎて夕日を受ける間、２時間毎にパネルを操作できるような、発電装置を作る。
【発明の詳細な説明】
【技術分野】  電気部門
【背景技術】  太陽光発電
【発明の開示】
太陽光採光管理発電装置は、発電するパネルを太陽の光に向けて、効率のよい発電ができるように管理人が操作する装置。
【発電が解決しょうとする課題】
１，太陽の光の照射角度に応じ光の角度に応じ向き合うように、パネルを傾斜操作する。２，７時３０分から１６時３０分までの時間帯の太陽光による電流の発生が約６０パ−セント強ですが、パネルを傾斜して向きを変えるように操作すると、約８０パ−セントに達するようになると予想される。
【課題が解決するための手段】
１，パネルを固定しないで、朝日と夕日もうけて、効率よく採光できるように、パネルを太陽の光に向けて傾斜するように、管理人が日中１０間２時間おきに運行を操作する。２，パネルの前部は、太陽の光の照射角度に応じた向きに合うように、毎日朝の操作時にパネルの角度を上下に調整する。
【図面の簡単な説明】
【図１】パネル本体の断面図及び製作図である。パネルの前部は上下に傾斜操作できるようにつくる。パネルは傾斜して向きを変える操作をするため、塩化ビニ−ルパイプに取り付ける。本体の前部の材料はアルミ製品で、台風や突風に耐えるような構造にするが、安価にできるよう工夫する。
【図１】
2011129849.tif 000003
(57)【要約】      （修正有）【課題】電源コンセントタップのコンセントは固定されており、ＤＣアダプターをコンセントに差し込むと、次の電源コンセントがそのアダプターで、差込口を塞がれ次の差込口が使用出来なくなる場合がある。この差込口を可動式にする事により、無駄なく全部のコンセントを使用出来る、便利な電源コンセントタップを提供するものである。【解決手段】電源コンセントタップのコンセントを右側・左側・上側・下側に移動及び回転部を同時に回転させて可動させることにより、斜めにもプラグを差し込めるようし、プラグを差し込む為の十分なスペースをより確保し易くしたテーブルタップコンセントである。【選択図】図１
2011129495.tif 000002
【特許請求の範囲】
【請求項１】
本発明は、コンセントが左右上下に移動及び、回転部は同時に左右上下に可動させる事が出来るコンセント。通常テーブルタップコンセントと言われているコンセント。
【発明の詳細な説明】
【技術分野】
【０００１】  本発明は、左右上下に移動及び回転部は同時に左右上下に可動させる事が出来るコンセントに関するものである。
【背景技術】
【０００２】  従来、電源コンセントは固定であった。ただし、左回転・右回転のいずれか一方方向にしか自由ではない、しかも僅かな角度しか稼動しない、プラグのはずれ防止の為の回転コンセントはあった。
【発明の開示】
【発明が解決しようとする課題】
【０００３】  従来品は、次のような問題点があった。ＤＣアダプターの普及でプラグ幅が大きくなり、１個口以上の電源コンセントタップは、コンセントの間隔が狭いため、ＤＣアダプターや大きめのプラグが入れられない不便な場合が多かった。本発明は、以上のような欠点を無くす為になされたものである。
【問題を解決するための手段】
【０００４】  電源コンセントテーブルタップのコンセントを左右上下の他、回転部は同時に左右上下に可動をさせる事が出来る電源コンセントテーブルタップにする。以上の構成よりなる電源コンセントテーブルタップのコンセント間隔を必要に応じた左右に、また上下に、あるいは回す事による角度が自由に設定出来る電源コンセントテーブルタップである。
【発明の効果】
【０００５】  電源コンセントが左右上下、回転部は左右上下と可動させる事が出来る事により、必要なコンセントタップ上のコンセントとの間隔を得て、ＤＣアダプターや幅の広いプラグであっても、不便なく調整をしながら使用出来る便利さを提供出来る。また、回転をさせなくとも良い場合は、そのままプラグを差し込む事により、通常のコンセントとしても使用出来る。
【発明を実施するための最良の形態】
【０００６】  以下、本発明の実施例について説明する。
▲１▼は左に可動するコンセントである。▲２▼は下に可動するコンセントである。▲３▼はシャッタープレートにしてあり、塵やゴミがテーブルタップボディ内に入らぬようにしてある。尚このシャッターは通常ジャバラと言い、そのジャバラが可動する寸法がコンセントの可動可能な寸法である。▲４▼は上に可動するコンセントである。▲５▼は右に可動するコンセントである。▲６▼は回転の他、左右上下に可動するコンセントである。
本発明は、以上のような構造で電源コンセントタップとして使用するものである。▲１▼を左側に移動すれば、右側の▲２▼のコンセントは▲１▼との間隔が広がり、スペースを幅広く使用出来る。よって、ＤＣアダプターが幅広いものであっても、楽に差し込む事が出来る。しかも、▲２▼は下にずらす事により、より幅広いスペースが保たれる。▲６▼は回転させる事により、斜めにもプラグを差し込めるので、▲２▼と▲４▼のコンセントに対し斜めにもプラグを▲６▼に差し込め回転及び、左右上下に可動を同時に操作する事により、より広い幅が確保出来、使用するのに便利である。
【図面の簡単な説明】
【０００７】
【図１】  本発明の斜視図である。
【図２】  アダプターをテーブルタップに差し込む図。
【図３】  プラグを差し込み下方に移動させている図。
【図４】  プラグを差し込み針に回転させ使用している図。
【図５】  プラグを上方向に移動させた時のボディの透視図。
【図６】  ボディの透視図。
【符号の説明】
【０００８】▲１▼▲２▼▲４▼▲５▼▲６▼は電源コンセントである。▲７▼▲８▼▲９▼▲１０▼▲１１▼は電源スイッチであり、▲７▼は▲１▼のスイッチ、▲８▼は▲２▼のスイッチ、▲９▼は▲６▼のスイッチ、▲１０▼は▲４▼のスイッチ、▲１１▼は▲５▼のスイッチである。
【図１】
2011129495.tif 000003
【図２】
2011129495.tif 000004
【図３】
2011129495.tif 000005
【図４】
2011129495.tif 000006
【図５】
2011129495.tif 000007
【図６】
2011129495.tif 000008
(57)【要約】【課題】保持部を金属製とした薄型の絶縁体印刷方法コネクタを提供する。【解決手段】（ア）端子（１）は端子保持部（２）、概略長方形状の端子本体（５）及びこの先端部に設けられた接点部（３）、端子保持部（２）の一部にオフセットした形態で取り付けられた半田付け用リード（４）からなり、端子用キャリア（１１）に一定のピッチで取り付けられる。（イ）金属製の保持部（６）は主に金属製の基材（９）、印刷技術で設けられた上面コーティング層（７）及び下面コーテイング層（８）及び半田付けする際に半田付け用リード（４）との干渉を防ぐ半田付け用穴（１０）を設け、保持部用キャリア（１２）に一定のピッチで設けられる。（ウ）端子（１）と保持部（６）とは保持部（６）の上面コーテイング層（７）と端子（１）の裏面にて絶縁接着固定される。以上を特徴とする。【選択図】図１
2011129496.tif 000002
【特許請求の範囲】
【請求項１】
（ア）端子（１）は端子保持部（２）概略長方形状の端子本体（５）及びこの先端部に設けられた接点部（３）端子保持部（２）の一部にオフセットした形態で取り付けられた半田付け用リード（４）からなる。
（イ）金属製の保持部（６）は主に金属製の基材（９）印刷技術で設けられた上面コーティング層（７）及び下面コーテイング層（８）から主に構成される。
（ウ）端子（１）と保持部（６）とは保持部（６）の上面コーテイング層（７）と端子（１）の裏面にて接着固定され設けられる。
以上の構成の絶縁体印刷方法コネクタ。
【請求項２】
端子（１）は端子用キャリア（１１）に保持部（６）は保持部用キャリア（１２）に取り付けられた請求項１の絶縁体印刷方法コネクタ。
【発明の詳細な説明】
【技術分野】
【０００１】この発明は、低背型のコネクタに関する物である。
【背景技術】
【０００２】従来より、インサート成形方式のコネクタは薄型のコネクタとして色々な機器に搭載されている。しかしインサート成形方式によるコネクタの薄型化も限界に来ており更なる薄型化の実現の要求にたいして対応を求められている。
【発明の開示】
【発明が解決しようとする課題】
【０００３】そのためには次のような問題点があった。
端子自体は金属製のため薄いが、端子を平滑に保持し、互いの端子を絶縁する機能のある保持部は通常プラスチックで製作されていた。このプラスチック製の保持部は薄型の進展と共に端子とは別の部品でできていた構造から端子と保持部を一体で成型するインサート成形方法へと推移してきた。しかしこの方法は薄くなるに従いそりやバリ、未充填が生じ、更に基板に取り付ける際のリフロー工程の際に膨れ（ブリスター）が生じるようになってきた。
本発明はこれらの問題点を解決するためになされたものである。
【課題を解決するための手段】
【０００４】保持部を印刷により設けた絶縁層でコーテイングされた金属とし、端子をこの金属の保持部に絶縁接着により接続したことを特徴とする低背型絶縁体印刷方法コネクタ。
【発明の効果】
【０００５】保持部を金属製としたことによりプラスチック製では解決の難しかったソリやバリ、更にリフロー時の膨れ（ブリスター）をなくすことができる。【０００６】保持部材が金属製であるため製造時の保持部材の取り付けピッチが、金属製の端子とのピッチに一致させることができるため張り合わせの製造効率が高く製造システムも安価にできる。【０００７】絶縁層は主にスクリーン印刷やパッド印刷及びオフセット印刷などの印刷技術で製作されるため膜の厚さを均質にすることができ、膜の厚さも制御しやすいため、信頼性が高い。
【発明を実施するための最良の形態】
【０００８】以下に本発明の実施の形態について主に図１，図２、図３を用いて説明する。
（ア）端子（１）は端子保持部（２）、概略長方形状の端子本体（５）及びこの先端部に設けられた接点部（３）、端子保持部（２）の一部にオフセットした形態で取り付けられた半田付け用リード（４）からなり、端子用キャリア（１１）に一定のピッチで取り付けられる。
（イ）金属製の保持部（６）は主に金属製の基材（９）、印刷技術で設けられた上面コーティング層（７）及び下面コーテイング層（８）及び半田付け用リード（４）との干渉を防ぐための半田付け用穴（１０）より構成され、保持部用キャリア（１２）に一定のピッチで設けられる。
（ウ）端子（１）と保持部（６）とは端子（１）の裏面と保持部（６）の上面コーテイング層（７）とを対向させ端子用キャリア（１１）と保持部用キャリア（１２）を位置合わせすることにより絶縁接着固定される。
本発明は以上のような構成で、これを使用するときは、相手基板（１４）に半田付けのための半田クリームを印刷した後に本案が位置合わせされ、リフロー工程を経ることにより相手基板（１４）に固定される。
端子の半田付け用リード（４）の形状を考慮することにより、半田付け用穴（１０）を保持部（６）に設けなくてもよい。上面コーテイング層（７）は絶縁処理と端子（１）との接着機能を兼用した単一の工程で設けてもよい。
【図面の簡単な説明】
【０００９】
【図１】本発明の端子部の透過斜視図である。
【図２】本発明の組立状態の斜視図である。
【図３】本発明の相手基板に取り付けられた斜視図である。
【符号の説明】
【００１０】１端子
２端子保持部
３接点部
４半田付け用リード
５端子本体
６保持部
７上面コーティング層
８下面コーテイング層
９基材
１０半田付け用穴
１１端子用キャリア
１２保持部用キャリア
１３絶縁印刷方法コネクタ
１４相手基板
【図１】
2011129496.tif 000003
【図２】
2011129496.tif 000004
【図３】
2011129496.tif 000005
(57)【要約】      （修正有）【課題】ＬＡＮケーブルのコネクタには、接続口に固定するためのロックレバーが設けられているが、非常に破損しやすい形状になっており折れてしまうことが多い。これを回避するために、別部品のカバーを追加するなどコストを上げることに繋がっている。【解決手段】ＬＡＮケーブルのコネクタに、接続口へ固定するために設けられているロックレバーに対して、先端を引き上げる方向と、横方向への力を規制するストッパーを設ける。ロックレバー先端には、ストッパーの角穴へ勘合する爪を設けてあり、この爪によってロックレバーは引き上げる方向の力と、横方向へ捩じられる力を規制される。ロックレバーの爪とストッパーの角穴は、ハウジング単品として射出成型された時点では勘合していないが、ハウジングへ端子などの部品を組み付ける際に、ロックレバーの先端をコネクタ本体側へ押し込むことにより勘合状態となる。【選択図】図１
2011129281.tif 000002
【特許請求の範囲】
【請求項１】
ＬＡＮケーブル接続口へ固定するために設けたロックレバーの折れ防止として、ロックレバー先端を引き上げる方向と、横方向への力を規制するストッパーを設けたＬＡＮケーブル用コネクタ。
【請求項２】
ＬＡＮケーブル接続口へ固定するために設けたロックレバーの折れ防止として、ロックレバーのストッパーを設けたＬＡＮケーブル用コネクタにおいて、ロックレバーの折れ防止用ストッパーの角穴とロックレバーの爪を、外れにくい勘合状態とするため、ロックレバーとストッパー壁を組み付け時に弾性変形させる構造。
【請求項３】
ＬＡＮケーブル接続口へ固定するために設けたロックレバーの折れ防止として、ロックレバー先端を引き上げる方向と、横方向への力を規制するストッパーを、コネクタハウジングへ一体化したＬＡＮケーブル用コネクタ。 
【発明の詳細な説明】
【技術分野】
【０００１】
本発明はロックレバーの折れを防止するストッパーを持つＬＡＮコネクタに関するものである。
【先行技術文献】
【特許文献】
【０００２】
【特許文献１】特開２００７−１８４１０８号広報
【特許文献２】特開２００８−５２９７９号広報
【特許文献２】特開２００６−４９２５７号広報
【発明の概要】
【発明が解決しようとする課題】
【０００３】
ＬＡＮケーブルのコネクタには、接続口に固定するためのロックレバーが設けられているが、誤ってロックレバーをケーブルなどに引っ掛けてしまうことで、折れてしまうことが多い。これを回避するために、ロックレバーを外側から覆い、ロックレバーが開く方向の動きを規制する手法が取られているが、新規の部品を付け加えることにより製品のコストが上昇してしまう。
【０００４】
また、ロックレバーの先端を曲げ、ロックレバーとコネクタ本体との隙間を狭くすることで、異物が引っ掛かり難い形状にしている例もあるが、ロックレバーとコネクタ本体との隙間に異物が引っ掛かることを完全に防止出来ておらず、ロックレバーは片持ち梁の構造となっているために、引き上げる方向に力が加えられると容易に破損してしまう。
【０００５】
横方向へ掛かる力に対しても、全く規制がされていないため、ロックレバーの先端に力が加えられると、付け根に応力が集中することになる。
【課題を解決するための手段】
【０００６】
ＬＡＮケーブルのコネクタに、接続口へ固定するために設けられているロックレバーに対して、先端を引き上げる方向と、横方向への力を規制するストッパーを設ける。
【０００７】
ロックレバー先端には、ストッパーの角穴へ勘合する爪を設けてあり、この爪によってロックレバーは引き上げる方向の力と、横方向へ捩じられる力を規制され、破損する危険性を回避することが出来る。
【０００８】
ロックレバーの爪とストッパーの角穴は、ハウジング単品として射出成型された時点では勘合していないが、ハウジングへ端子などの部品を組み付ける際に、ロックレバーの先端をコネクタ本体側へ押し込むことにより勘合状態となる。
ロックレバーの爪とストッパーの角穴は、ロックレバーおよびストッパー壁を弾性変形させたことにより勘合しているので、勘合後は非常に外れにくい構造となっている。
【発明を実施するための形態】
【実施例】
【０００９】
以下、図面を参照して本発明の好ましい実施形態について詳細に説明する。
図１はＬＡＮコネクタへ本発明を実施した断面図である。
図２はＬＡＮコネクタのハウジングを射出成型した状態である。この段階ではロックレバーの爪はストッパーの角穴へ勘合していない。
【００１０】
ハウジングへ端子などの部品を組み付ける際に、ロックレバーの先端をコネクタ本体側へ押し込むことにより、図２に示すストッパーの斜面Ｄは、ロックレバーの斜面Ｅと接触しながら互いに変形し、図１に示すような勘合状態となる。
図４はロックレバーの爪とストッパーの角穴が勘合した状態の斜視図であす。勘合状態はＦで示すように、ロックレバーを引き上げる方向と、Ｂで示す横へ捩じる方向の力を規制している。
【図面の簡単な説明】
【００１１】
【図１】本発明の好ましい実施形態である、ロックレバーへのストッパーが設けられたＬＡＮコネクタの断面図である。ロックレバーの爪とストッパーの角穴は勘合している。
【図２】ＬＡＮコネクタのハウジングを射出成型した状態である。ロックレバーの爪とストッパーの角穴は勘合していない。
【図３】これまでの対策例として、ロックレバーの先端を曲げ、ロックレバーとコネクタ本体との隙間を狭くすることで、異物が引っ掛かり難い形状にしている製品を示す。Ｃはロックレバーとコネクタ本体との発生する隙間を示す。
【図４】本発明の好ましい実施形態である、ロックレバーへのストッパーが設けられたＬＡＮコネクタの斜視図である。
【符号の説明】
【００１２】
Ａ：  図１の断面指示
Ｂ：  ロックレバーへ掛かる横方向の力
Ｃ：  ロックレバーとコネクタ本体との隙間
Ｄ：  ストッパーの斜面
Ｅ：  ロックレバーの斜面
Ｆ：  ロックレバー爪とストッパー角穴の勘合部
【図１】
2011129281.tif 000003
【図２】
2011129281.tif 000004
【図３】
2011129281.tif 000005
【図４】
2011129281.tif 000006
(57)【要約】【課題】  エコで騒がれている時代に、不用なペットボトルや空き缶の量が多すぎる。又、外出時にマイカップを持参しても、中身がなくなると、補充する手段がない。【解決手段】  現在設置されている自動販売機を、マイカップ対応にすることにより、地球上のペットボトルや空き缶を削減することができる。また、好みの飲料水や量を記憶させたチップをマイカップに貼ることにより、誤った量を選択することも解消される。【特許請求の範囲】
【請求項１】
取り出し口を大きくして、マイカップが対応できる自動販売機
【請求項２】
好みの飲料水や必要な量を記憶させたチップを、カップに張りセンサーで読み取り、カップに注入させる。
【発明の詳細な説明】
【技術分野】
【０００１】本発明は、自動販売機の取り出し口に、各々が持参したカップを設置し好みの飲料水を、必要な量だけ購入できる。
【背景技術】
【０００２】従来、自動販売機で飲料水を購入する場合、ペットボトルや缶入り又は、備付けのカップ対応となっている。【０００３】従来の自動販売機では、好みの飲料水を毎回選択しないといけない。
【発明の開示】
【発明が解決しようとする課題】
【０００４】マイカップ対応が出来ることで、ペットボトルや空き缶が不用となる。【０００５】自動販売機の周りにある、ペットボトルや空き缶入れが不用となり回収の必要もなくなる。【０００６】マイカップに、好みの飲料水を記憶させたチップを貼ることにより、毎回、砂糖の量やクリームの量を選択する必要もない。
(57)【要約】【課題】  従来の携帯防犯ブザーは携帯者自身が手動で作動させて警報を発することで、犯人を撃退することを目的としており、ひったくりやスリなどの犯行が発生した場合に所持品はすでに持ち去られており物品の盗難被害を防止出来るものではなかった。【解決の手段】  携帯する防犯ブザーに任意周波数の微弱電波を送信する回路を組み込み、電源を入れた防犯ブザーの親機を携帯し、所持品にはその微弱電波を受信し電子リレー回路のスイッチを自動的に切り替え警報スイッチが入る防犯ブザーの子機を取り付けておき、犯行が発生し親機から発信する微弱電波が到達圏内を越えた時点で所持品に取り付けた子機の防犯ブザーが警報を自動的に発するようにし、所持品のひったくりやスリによる物品被害を防止することを目的にした防犯ブザーである。【選択図】図３
2011129080.tif 000002
【特許請求の範囲】
【請求項１】
手動スイッチ式の防犯ブザーに任意の周波数の微弱電波を発信する送信回路を組み合わせた親機と、その微弱電波を受信し自動的に電子リレー回路のスイッチを切り替えることで警報回路のスイッチが入り警報を発する子機で構成される防犯ブザーである。
【請求項２】
親機の任意周波数の微弱電波の到達圏内を越えた時点において、子機の受信回路から流れていた電流が遮断されることにより電子リレースイッチング回路のスイッチが切り替わり防犯ブザーの警報スイッチが入り子機側の警報が自動的に鳴る防犯ブザーである。
【請求項３】
親機子機間で使用する微弱電波は同様の効果のある赤外線を使用できるものである。
【発明の詳細な説明】
【技術分野】
【０００１】  この発明は、微弱電波の送信機能を備えた親機である防犯ブザーの任意に設定された微弱電波の到達圏内を越えた場合に、物品に取り付けた微弱電波の受信機能を備えた子機である防犯ブザーがその電波の遮断により受信機の電子リレースイッチング回路のスイッチが作動し、防犯ブザー回路のスイッチが自動的に入ることで警報を発するハイブリッド化した防犯ブザー装置に関するものである。
【背景技術】
【０００２】  従来、防犯ブザーは携帯者が手動スイッチの操作によりその場で警報を発するものであった。
【発明の開示】
【発明が解決しようとする課題】
【０００３】  これは、次のような欠点があった。
従来の防犯ブザーは携帯者がスイッチを手動で操作することでその場で警報を発するもので、ひったくりやスリ等犯行が発生してその場で警報を発しても所持品はすでに持ち去られており、所持品の被害を防止出来るものではなかった。
【課題を解決するための手段】
【０００４】  防犯ブザーに任意に設定された微弱電波の送信機能を備えた親機とその微弱電波の受信機能を備えた防犯ブザーの子機を設け、子機を盗難のおそれのある物品に取り付けるようにする。
【発明の効果】
【０００５】  携帯している親機防犯ブザーのメインスイッチ（１）をＯＮにし、送信回路（４）より微弱電波を常に発信しておくことで所持品に取り付けた受信機能（８）を備えた子機の防犯ブザーが、子機のメイン電源スイッチ（５）を常に入れておくことで親機の微弱電波の到達圏外に移動し微弱電波が遮断された時に電子リレースイッチ（６）が防犯ブザー警報回路の方に切り替わり子機の警報（７）が自動的に鳴るようにできる。【０００６】窃盗犯が物品を持って逃走すると親機から発する微弱電波の到達圏外に達した時に盗品に取り付けておいた子機である防犯ブザー（７）の警報が突然鳴り出すので犯人は慌てて物品を放棄するように出来る。【０００７】親機の送信する微弱電波と同じ周波数の受信出来る子機を増加できるので複数の所持品に取り付けて盗難被害が防止できる。【０００８】子機の防犯ブザーが警報を発する時は犯人からは微弱電波の到達圏外の距離を有しているので、被害者は携帯している親機の防犯ブザーの手動警報スイッチ（２）を落ち着いて入れることができ、親機の防犯ブザー（３）が鳴るので被害者本人の身体への被害も防止できる。【０００９】盗難された所持品に取り付けた防犯ブザー（７）が鳴ることで犯人が特定出来るので犯罪の抑止効果を高めることが出来る。
【発明を実施するための最良の形態】
【００１０】  以下、本発明を実施するための最良の形態について説明する。
任意の周波数の微弱電波を送信する機能の送信回路（４）を備えた防犯ブザーの親機とその微弱電波の受信回路（８）と電子リレースイッチング回路（６）を備えた防犯ブザーの子機のセットを基本とした防犯ブザーとする。本発明は、以上のような構造である。
【図面の簡単な説明】
【００１１】
【図１】      本発明の防犯ブザー親機の簡単な回路図である。
【図２】      本発明の防犯ブザー子機の簡単な回路図である。
【図３】      本発明の防犯ブザーの犯罪発生時の作動概略図である。
【符号の説明】
【００１２】    １  防犯ブザー親機のメイン電源スイッチ
２  防犯ブザー親機の警報回路手動スイッチ
３  防犯ブザー親機の警報ブザー
４  防犯ブザー親機の微弱電波送信回路
５  防犯ブザー子機のメイン電源スイッチ
６  防犯ブザー子機の電子リレースイッチ回路
７  防犯ブザー子機の防犯ブザー警報回路
８  防犯ブザー子機の微弱電波受信回路
【図１】
2011129080.tif 000003
【図２】
2011129080.tif 000004
【図３】
2011129080.tif 000005